(57)【特許請求の範囲】
【請求項１】
交流供給電流を運ぶケーブル（２）から誘導的に電力をピックアップするための伝達ピックアップ回路（３）を備える電力伝達システムであって、前記交流供給電流は、ケーブル周波数で交番し、
前記伝達ピックアップ回路（３）は、
−  前記ケーブル（２）への誘導性結合を与えるための変圧器の２次巻線（１７）と、前記変圧器に並列に接続された第１の容量性モジュール（７）とを備えた第１の回路（８）であって、前記第１の回路（８）は、第１の共振周波数において第１の周波数レンジで第１の共振を有する前記第１の回路（８）と、
−  前記第１の回路（８）に並列に接続され、第２の誘導性モジュール（１０）と負荷（１２）に電力を伝達するための手段（１６）とを備えた第２の回路（９）であって、前記手段（１６）は、前記第２の誘導性モジュール（１０）と直列である前記第２の回路（９）と、
を備え、
前記第１の回路（８）と前記第２の回路（９）が、共に、共振をする前記伝達ピックアップ回路（３）を形成することを特徴とし、
公称インピーダンスを有する負荷（１２）を備える前記伝達ピックアップ回路（３）の共振周波数は、前記第１の共振周波数よりも前記ケーブル周波数に近く、
前記第１の共振周波数は、前記ケーブル周波数より低く、
前記電力伝達システムは、使用において、前記第２の回路（９）が無限に高いインピーダンスを形成する場合に、前記変圧器が前記ケーブル周波数で飽和しないように構成され、
前記第２の回路（９）は、前記第２の誘導性モジュール（１０）と直列で、前記手段（１６）と並列に構成される第２の容量性モジュール（１１）を備え、
前記第２の容量性モジュール（１１）と前記第２の誘導性モジュール（１０）は、実際に、前記負荷のインピーダンスが無限に高い場合に、第２の共振周波数において第２の周波数レンジで第２の共振を有するために構成され、
実際に、前記負荷が無限に高い場合に、前記ケーブル周波数において、前記伝達ピックアップ回路のインピーダンスが、前記第１の回路（８）のインピーダンスよりも小さいように、前記第２の共振が構成される、
電力伝達システム。
【請求項２】
前記２次巻線（１７）のインダクタンスと、前記第１の容量性モジュール（７）のキャパシタンスと、前記第２の誘導性モジュール（１０）のインダクタンスとは、前記負荷（１２）がショートする場合に、前記ケーブル周波数に近づくように取り決めるように選択される、請求項１に記載の電力伝達システム。
【請求項３】
前記ケーブル周波数において、前記第２の回路（９）のインピーダンスは、実際に、前記負荷のインピーダンスが無限に高い場合に、前記第１の回路（８）のインピーダンスよりも低い、
請求項１または請求項２に記載の電力伝達システム。
【請求項４】
前記手段（１６）は、
整流器（１３）と、ここにおいて、前記整流器（１３）は、前記整流器（１３）の出力側から負荷（１２）に供給するよう構成され、
前記負荷（１２）に並列に接続されるように構成された前記整流器（１３）の出力側に接続された容量性リザーバモジュール（１４）と、
を備える、
請求項１または請求項２または請求項３に記載の電力伝達システム。
【請求項５】
前記整流器（１３）は、前記第２の容量性モジュール（１１１、１１２）に並列に構成される、請求項４に記載の電力伝達システム。
【請求項６】
前記手段（１６）は、前記負荷（１２）と前記容量性リザーバモジュール（１４）に直列であるように構成された第３の誘導性モジュール（１５）を備える、
請求項４または請求項５に記載の電力伝達システム。
【請求項７】
前記第３の誘導性モジュール（１５）は、前記整流器（１３）の出力側に接続される、請求項６に記載の電力伝達システム。
【請求項８】
前記第２の誘導性モジュール（１０）と、前記第１の容量性モジュール（７）と、前記変圧器の前記２次巻線（１７）とは、共に、前記ケーブル（２）の方向に、ノイズのためのローパスフィルタを形成する、請求項１に記載の電力伝達システム。
【請求項９】
前記交流供給電流を与えるためのソースを備え、
前記ソースは前記ケーブル周波数を変化させるよう構成される、
請求項１ないし請求項８のいずれか一項に記載の電力伝達システム。
【発明の詳細な説明】
【技術分野】
【０００１】
本発明は、交流供給電流を運ぶケーブルから誘導的に電力をピックアップするための伝達ピックアップ回路を備える電力伝達システムに関する。
【背景技術】
【０００２】
米国特許第８，０９３，７５８は、誘導的に結合された電力伝達（ＩＣＰＴ）のための電力伝達システムを記載する。それは、共振コンバータを備えた電源から交流電流を供給される１次導電経路を有する回路を記載する。それは、また、変圧器を用いて、２次回路を、第１の回路に誘導的に結合することを記載する。２次回路は、巻線とキャパシタを備え、それによって、キャパシタは、巻線に並列に接続される。巻線は、誘導性エレメントを形成する。負荷は、誘導性エレメントとキャパシタとに並列である。制御される短絡スイッチが、ピックアップを分離し、それによって、１次導電経路へのインピーダンスを調整するために用いられる。短絡がない場合、２次回路は共振する。制御された短絡スイッチは、誘導性のキャパシタと誘導性エレメントとに並列である。制御された短絡スイッチは、大きな導電損失の原因となり、１次経路における電流の周波数変化を許容させるから、米国特許第８，０９３，７５８は、誘導性エレメントとキャパシタに並列の可変インダクタまたは可変キャパシタの使用を記載する。電力伝達システムは、感知された負荷の状態に応じて２次回路への電力の伝達を制御するために、負荷の状態を感知するための感知手段と、２次回路の実効キャパシタンスまたはインダクタンスを変化させることによって、感知手段によって感知された負荷の状態に応じて、２次回路を選択的に同調または脱同調するための制御手段とを備える。制御手段は、それによって可変になるインダクタまたはキャパシタを介して流れる電流を制御するために、好適なドライバ有する２つのスイッチを備える。感知手段は、共振回路における電圧の位相を感知する。制御手段は、電圧がゼロクロスした後の所定時間期間、２次回路に、可変インダクタを接続するか、または、可変キャパシタを非接続にするかを行うためにスイッチ手段を駆動するように適用される。それによって、制御手段は、負荷が小さく、２次回路を介して伝達されるべき高い電力を必要としないとき、共振周波数が共振（トラック周波数）から脱調されるように、可変インダクタンスまたは可変キャパシタを変化させる。２次回路は、負荷が増加し、増加した負荷からの要求を満足するために高い電力伝達が必要とされるにつれ、トラック周波数に向かって同調される。
【０００３】
米国特許第８，０９３，７５８に記載された電力伝達システムの不利な点は、比較的に高価なコントローラが必要とされることと、負荷への出力電圧が感知されなければならないことである。更に、スイッチは、スイッチングのときに、ピックアップ回路において、したがって、１次経路上でのノイズの原因になる。このノイズは、ケーブルに結合された他のピックアップの機能を阻害し、交流電流が影響を受けず、意図された姿であるように、電源がこのノイズに対してロバストであることを必要とする。
【発明の概要】
【０００４】
これらの問題点の１またはそれより多くを改善すること、または、少なくとも、代替の電力伝達システムを提供することが本発明の目的である。
【０００５】
この目的は、本発明の実施形態にしたがった、交流供給電流を運ぶケーブルから電力を誘導的にピックアップするための伝達ピックアップ回路を備える電力伝達システムによって達成され、
ケーブルへ誘導性結合を与えるための変圧器の２次巻線と、変圧器に並列に接続された第１の容量性モジュールとを備える第１の回路を備え、
伝達ピックアップ回路は、
第１の回路に並列に接続され、第２の誘導性モジュールと負荷に電力を伝達する手段とを備える第２の回路を備え、
この手段は、第２の誘導性モジュールと直列である、
ことを特徴とする。
【０００６】
２次巻線、第１の容量性モジュール、第２の誘導性モジュール、前記手段は、負荷を与える場合、共に、伝達ピックアップ回路を形成する。伝達ピックアップ回路は、共振回路、すなわち、交流供給電流の周波数に応じて共振することができる回路である。
【０００７】
第２の誘導性モジュール、第１の容量性モジュール、および、変圧器の２次巻線は、伴に、ケーブルの方向に、ノイズのためのローパスフィルタを形成する。したがって、負荷または前記手段からのノイズはフィルタされる。したがって、ケーブル上の交流供給電流のソースは、あまりロバストである必要はなく、ケーブルに結合された他の誘導的に結合された電力伝達ピックアップ回路は、最適に機能し得る。
【０００８】
好適には、交流供給電流は、ケーブル周波数で交番し（alternate）、第１の回路は、ケーブル周波数より下の第１の共振周波数の周りの第１の周波数範囲において第１の共振を有し、使用において、第２の回路が無限に高いインピーダンスを形成する場合に、変圧器がケーブル周波数で飽和しないように、電力伝達システムが構成される。
【０００９】
２次巻線は、理想的な変圧器の巻線と、理想的な変圧器の巻線と並列な励磁インダクタンスとしてモデル化され得る。理想的な変圧器の巻線はゼロインピーダンスを有し、即ち、理想的な変圧器のインダクタンス、抵抗、キャパシタンスはゼロである。
【００１０】
伝達ピックアップ回路において、第２の回路は、第１の回路に並列である。第２の回路を第１の回路に並列に配置することによって、第２の回路のインピーダンスは第１の回路のインピーダンスに並列になる。したがって、第２の回路のインピーダンスが第１の回路のインピーダンスに比して高い場合、第１の回路の挙動が優勢になる。更に、使用の間に、第２の回路が無限に高いインピーダンスを形成する場合、第２の回路は、有効的に、役割を果たさない。
【００１１】
実施において、回路の共振のピークは、無限に小さな幅を持つことはなく、周波数レンジにおいて共振を有する。
【００１２】
この実施形態において、第１の周波数レンジは、共振が最大に達する、第１の共振周波数の周りにある。第１の共振周波数は、ケーブル周波数の下にあり、それは、ケーブル周波数において、共振がその最大ではないことを意味する。
【００１３】
加えて、変圧器は、その上ではそれらが飽和する、限られた最大電力伝達を有する。したがって、少なくとも飽和周波数レンジを超えると、伝達ピックアップ回路は、変圧器を飽和させる。したがって、実際に、第２の回路がケーブル周波数で無限大の負荷を形成する場合、伝達ピックアップ回路は、変圧器が飽和するときよりも少ないエネルギーをケーブルからピックアップする。言い換えれば、伝達ピックアップ回路のケーブルからのデカップリングがある。
【００１４】
このデカップリングは、いくつかの状況において利点があり得る。第２の回路が負荷に電力を伝達するための手段を備える場合、第２の回路のインピーダンスは負荷のインピーダンスに依存する（したがって、負荷の存在にも依存する）。更に、第２の回路の抵抗は、負荷の上昇する抵抗とともに上がる。第２の回路が、負荷の存在によってのみ閉になる場合（即ち、負荷が存在しなければ、それは開である場合）、第２の回路の抵抗は、接続された負荷がない場合に最大に達する。負荷をスイッチオフすることは、同じ効果を持ち得る。第２の回路の高インピーダンスでのデカップリングと組み合わせて、これは、負荷の高インピーダンスで、特に、接続された負荷がない場合に、デカップリングがあることを意味する。これは、例えば、存在する負荷がないとき、または、負荷がスイッチオフされているとき、比較的小さな損失であることを意味し、実際、そのような状況において、電力損失は最小であることが望まれる。
【００１５】
このデカップリングをなすために、コントローラは必要とされない。コントローラが必要とされないから、電力伝達ピックアップは、比較的安価で信頼性が高い。代わりに、カップリングにおける違いは、負荷自身のインピーダンスに依存する伝達ピックアップ回路の異なる共振特性によって達成される。
【００１６】
変圧器の磁気インダクタンスは、誘導性モジュールの磁気インダクタンスとは別であるから、それらは、負荷が、第２の誘導性モジュールと直列であることなく、第１の回路と並列になるような状況に比較して、負荷に電力を伝達する能力を損なうことなく、第１の共振周波数とケーブル周波数との間の差を増加するためのより大きな自由度を有利に持ち得ることを、発明者は認識する。
【００１７】
好適な実施形態において、第２の回路は、第２の誘導性モジュールと直列で、前記手段に並列に構成された第２の容量性モジュールを備え、第２の容量性モジュールと第２の誘導性モジュールは、実際に、負荷インピーダンスが無限に高い場合に、第２の共振周波数の周りの第２の周波数レンジにおいて第２の共振を有するために構成され、第２の共振は、実施において、負荷が無限に高いとき、ケーブル周波数で、伝達ピックアップ回路のインピーダンスが第１の回路のインピーダンスより低いように構成される。
【００１８】
第２の回路に容量性のモジュールを有することによって、負荷の無限に高いインピーダンスの場合でさえも、第２の回路は、伝達ピックアップ回路における役割を演じる。更に、第２の回路は、第２の共振を有する。第２の回路は、第２の誘導性モジュールと直列に第２の容量性モジュールを有するから、第２の回路のインピーダンスは、第２の共振周波数において最小値をもって、共振において低くなる。第２の回路が第１の回路と並列であるので、第２の回路の低インピーダンスは、伝達ピックアップ回路のインピーダンスが低くなるようにさせる。
【００１９】
この実施形態において、伝達ピックアップ回路が第１の回路よりも低いインピーダンスを有するから、ケーブルからピックアップされた電力は、使用時に、負荷が無限に高いインピーダンスを形成するとき、ケーブル周波数において、更に減少される。
【００２０】
負荷のインピーダンスが下げられると、ケーブル周波数において、負荷は、第２の容量性モジュールに対してより優勢になり、効果的に直列共振を少なくする。これは、負荷への電力伝達を可能にする。負荷のインピーダンスがゼロに近づく場合、第２の容量性モジュールは、完全にバイパスされ、第２の容量性モジュールあり、または、なしでの回路の挙動は等しくなる。
【００２１】
好適に、実際に負荷インピーダンスが無限に高いとき、ケーブル周波数において、第２の回路のインピーダンスは第１の回路のインピーダンスよりも低い。
【００２２】
第２の回路のインピーダンスが第１の回路のインピーダンスより低いから、伝達ピックアップ回路のインピーダンスは非常に減少される。
【００２３】
好適な実施形態において、好適には、前記手段は、整流器の出力側から負荷に供給するよう構成された整流器と、負荷に並列になるように構成された、整流器の出力側に接続された容量性リザーバモジュールとを備える。
【００２４】
前記手段は第２の容量性モジュールに並列であり、整流器の出力側から負荷を供給するよう構成されるから、増加する負荷抵抗は、依然、第２の回路の増加された抵抗につながる。
【００２５】
容量性のリザーバモジュールは負荷と並列であり、整流器の後ろにあるから、電圧と電流において整流器の出力側の上に存在するリップルが平滑されるように、負荷のためのエネルギーのリザーバである。
【００２６】
好適には、前記手段は、負荷と容量性のリザーバモジュールとに直列になるように構成された第３の誘導性モジュールを備える。
【００２７】
容量性のリザーバモジュールは、整流器の出力側での交流電圧が閾値に達したとき、負荷となる。したがって、それは、整流器の出力側の上での交流電圧のトップにおいて負荷となる。この負荷特性は、共振伝達ピックアップ回路の共振を阻害し得る。第３の誘導性モジュールのインダクタンスの利点は、共振回路が、比較的に均しく負荷付けられること、および、２次共振回路が余り阻害されないことである。
【００２８】
好適には、交流供給電流を与えるソースは、ケーブル周波数を可変にするよう構成される。
【００２９】
ソースがケーブル周波数を変更し得るから、ケーブル上の電力伝達ピックアップのインピーダンスは、ケーブルに結合された、誘導的に結合された電力伝達ピックアップの数に適合するように変化され得る。また、周波数間の切り替えは、ケーブルに結合された、誘導的に結合された電力伝達ピックアップのための信号として用いられ得る。
【００３０】
本発明の実施位形態は、ここで、対応する符号は対応するパーツを示している添付の概略図を参照して、例としてのみで記載される。
【図面の簡単な説明】
【００３１】
【図１】図１は、本発明にしたがった誘導的に結合された電力伝達システムを示す。
【図２ａ】図２ａは、図１の誘導的に結合された電力伝達システムの電気回路表記を示す。
【図２ｂ】図２ｂは、図１の誘導的に結合された電力伝達システムの電気回路表記を示す。
【図３】図３は、図２ｂの伝達ピックアップ回路において、負荷が公称値にある場合の、異なる周波数においてケーブルからピックアップされる電力を示す。
【図４】図４は、図２ｂの伝達ピックアップ回路において、負荷が公称値にある場合の、異なる周波数における最大１次変圧器電圧を示す。
【図５】図５は、図２ｂの伝達ピックアップ回路への負荷として非常に高いインピーダンスである場合の、異なる周波数においてケーブルからピックアップされる電力を示す。
【図６】図６は、図２ｂの伝達ピックアップ回路への負荷として非常に高いインピーダンスである場合の、異なる周波数における最大１次変圧器電圧を示す。
【図７】図７は、図１の誘導的に結合された電力伝達システムの電気回路表記を示す。
【図８】図８は、図７の伝達ピックアップ回路において、負荷が公称値にある場合の、異なる周波数においてケーブルからピックアップされる電力を示す。
【図９】図４は、図７の伝達ピックアップ回路において、負荷が公称値にある場合の、異なる周波数における最大１次変圧器電圧を示す。
【図１０】図１０は、図７の伝達ピックアップ回路への負荷として非常に高いインピーダンスである場合の、異なる周波数においてケーブルからピックアップされる電力を示す。
【図１１】図１１は、図７の伝達ピックアップ回路への負荷として非常に高いインピーダンスである場合の、異なる周波数における最大１次変圧器電圧を示す。
【図１２】図１２は、図１の誘導的に結合された電力伝達システムの代替の詳細を示す。
【詳細な説明】
【００３２】
伝達回路において容量性モジュールがない例
本発明にしたがった例において、電源（１）が、電流源をもったケーブル（２）に交流電流を供給するよう構成される。これは、図１に示される。フェライトエレメント（４）を備えた電力伝達ピックアップ（３）が、ケーブルの近くに置かれる（図２ａおよび図２ｂ）。電力伝達ピックアップは、更に、フェライトエレメント（４）の周りに２次巻線（１７）を備える。フェライトエレメント（４）は、変圧器のコアを形成し、少なくとも部分的に、２次巻線の中にある。電力伝達ピックアップ（３）は、ケーブル（２）と電力伝達ピックアップ（３）との間の誘導性結合が存在するように置かれる。
【００３３】
図２ａは、電力伝達ピックアップ（３）の電気回路図を示す。電力伝達ピックアップ（３）は、更に、第１の容量性モジュール（７）を備える。第１の容量性モジュール（７）は、２次巻線（１７）に並列に接続され、第１の容量性モジュールと２次巻線の組み合わせが、第１の回路（８）を構成する。
【００３４】
電気回路図を用いて発明を説明する目的のために、２次巻線は、理想的な変圧器の２次部分（５）と理想的な変圧器の２次部分に並列である第１の誘導性モジュール６としてモデル化され得る。第１の誘導性モジュール（６）は、変圧器の励磁インダクタンスを表す。図２ｂは、このモデルを用いた電力伝達ピックアップの電気回路図を示す。電力伝達ピックアップは、更に、第１の回路（８）に並列に接続された第２の回路（９）を備える。第２の回路（９）は、第２の誘導性モジュール（１０）を備える。
【００３５】
図２ａと図２ｂにおいて、回路図は、第２の誘導性モジュール（１０）と直列である接続手段（１６）を介して第２の回路に接続された負荷を持つように示される。接続手段（１６）は、プラグのための一対のコンセントによって形成される。
【００３６】
負荷は、スイッチ可能な電球である。電球は、要求に応じて、オン、オフを切り替えられ、これは負荷が変化することを意味する。電球は、抵抗性である。電球がオフの場合、電球の抵抗は無限に高くなる。電球がオンのとき、抵抗は公称値をもつ。負荷はプラグによって前記手段に接続される。これは、電球の早くて簡単な交換を容易にする。
【００３７】
第１の回路と第２の回路は、共に、共振をする伝達ピックアップ回路を形成する。本発明の説明の目的、および、伝達ピックアップ回路におけるコンポーネントのための値の選択のために、いくつかの異なる状況が説明される。
【００３８】
第１の容量性モジュール（７）は、約６４ｎＦの値をもったキャパシタンスＣｐを有する。第２の誘導性モジュール（１０）は、８２０μＨのインダクタンスＬｓを有するコイルである。第１の誘導性モジュール（６）は、１９４４μＨの値Ｌｐをもち、即ち、変圧器の２次巻線は、１９４４μＨのインダクタンスをもつ。
【００３９】
これらの値は、負荷がショートしているとき（即ち、ゼロのインピーダンスを持つ）とき、伝達ピックアップ回路の共振周波数（ｆｔｒａｎｓｆｅｒ  ｐｉｃｋ−ｕｐ）が、２６ｋＨｚのケーブル周波数に近くなるように選ばれている。値は、従って、
【数１】
0006441312.tif 000002
【００４０】
を用いて選ばれる。
【００４１】
当業者が認識するように、共振周波数（ｆｔｒａｎｓｆｅｒ  ｐｉｃｋ−ｕｐ）が正確なケーブル周波数から僅かに変位し得るように、全ての値ではないが、キャパシタ、コイル、変圧器のために容易に利用できる。この例において、６４ｎＦのキャパシタンス値をもったキャパシタは、容易には利用可能でない（即ち、この値をもったキャパシタは、デフォルトでは製造されていない）。したがって、第１の容量性モジュール（７）は、デフォルト値である値５６ｎＦと８．２ｎＦをもった、並列に接続された２つのキャパシタを備える。加えて、一般的に、キャパシタ、コイル、および変圧器には、大きな製造誤差がある。例えば、製造誤差から、キャパシタの値は、５０％、１０％、５％、または１％で変化し、コイルのインダクタンスは２０％または１０％で変化する。さらに、共振は、共振が最大である周波数の周りの周波数範囲で起こる。
【００４２】
このケースにおいて、コンポーネントの公称値にしたがった結合された共振周波数は、約２６．１９７ｋＨｚの値をもち、即ち、ケーブルの周波数から１％以下だけ離れている。
【００４３】
交流電流は、電源（１）の電流源によって供給される。負荷に伝達される電力（負荷電力）は、周波数レンジについて、図３に示される。図３は、選択された値について、負荷電力が最大にまたは最大近くになることを示している。
【００４４】
上記は、負荷が使用の間に意図されるような値を有する、即ち、公称の値を有する状況のために選ばれた場合の値をとる。この場合には、これは、約６１Ωである。
【００４５】
しかし、Ｌｐ、Ｌｓ、および、Ｃｐのための値は、公称負荷を無視することによって選ばれる。これは、負荷のインピーダンスが、まだ（正確には）知られていない回路の設計のために有効である。伝達ピックアップを設計するとき、電球についてのインピーダンス値は、ピークの最大値（伝達ピックアップ回路の共振周波数のところにある）が、Ｃｐ、または、Ｌｐ、または、Ｌｓの値を変更することによって、ケーブル周波数に可能な限り近くであるように用いられ得る。これは、以下の式にしたがって、ある負荷インピーダンス（Ｚｌｏａｄ）についてのゼロの虚部を持つように、伝達ピックアップ回路の複素インピーダンスのための式を解くことによってなされる。
【数２】
0006441312.tif 000003
【００４６】
ここで、Ｚはインピーダンスを示すために用いられ、
【数３】
0006441312.tif 000004
【００４７】
は、虚部を示すために用いられる。
【００４８】
図４は、図３と同じ状況について、ケーブル周波数の関数として最大１次変圧器電圧（図において、Ｖｐｅａｋと示される）を示す。最大１次変圧器電圧は、電力伝達ピックアップのところにおいて、ケーブルによって経験される最大電圧降下である。電圧降下は、電流が交流電流であるので、時間を通して変化する。交流電流が電流源によって供給されるので、ケーブルによって経験される電圧降下は、ケーブルからピックアップされた電力に対応する。
【００４９】
負荷が無限に高いインピーダンスを持つ場合において、電力伝達回路によってピックアップされる電力は、ケーブルにおける交流電流の異なる周波数でピークをとる。図５において、負荷が非常に高いインピーダンスを持つ状況が示される。負荷が非常に高いインピーダンスを持つときのケーブルからピックアップされる電力の挙動は、負荷が無限大のインピーダンスを持つときの挙動に近似する。図６は、この状況についての最大１次変圧器電圧を示す。
【００５０】
１次変圧器電圧は、変圧器のコア（４）によって５．０Ｖに制限される。コア（４）がフェライトからつくられている場合、それは、約０．３から０．５ Ｔｅｓｌａの磁束密度で飽和する。磁束密度は、以下の式によって決定される。
【数４】
0006441312.tif 000005
【００５１】
ここで、Ｕｍａｘは、変圧器上のピーク電圧であり、Ａｅはコアの有効断面であり、Ｎは巻き数、ｆは周波数である。
【００５２】
負荷が無限に高いインピーダンスを持つ場合、第２の回路は、また、無限に高いインピーダンスを有し、効果的に、第２の回路は、共振伝達ピックアップ回路の挙動に対して等価ではない。伝達ピックアップ回路の共振は、１５ｋＨＺの周りの周波数で最大値を持つ共振を有する、第１の回路によって決定される。電力伝達回路における他の共振周波数と区別するために、この共振周波数は、以降、第１の共振周波数と呼ばれる。
【００５３】
第１の共振周波数（ｆｆｉｒｓｔ）、第１の誘導性モジュールの励磁インダクタンス、および、第１の容量性モジュールのキャパシタンスの間の関係は、以下の式によって与えられる。
【数５】
0006441312.tif 000006
【００５４】
この式は、また、第１の誘導性モジュールの励磁インダクタンスと第１の容量性モジュールのキャパシタンスについての値を選択するために用いられる。
【００５５】
この第１の共振周波数において、コア（４）は飽和されている。コアが飽和されているから、電力伝達ピックアップによってピックアップされる電力は制限され、最大１次変圧器電圧は制限される。
【００５６】
上に与えられた周波数から、並びに、図３と図５の比較、または、図４と図６の比較から明瞭なように、公称のインピーダンスをもった負荷を備える伝達ピックアップ回路（第１の回路（８）と第２の回路（９）とを組み合わせた回路）の共振周波数は、第１の共振周波数よりもケーブル周波数に近い。
【００５７】
伝達回路において容量性モジュールを用いた例
本発明の好ましい実施形態にしたがった例において、電力伝達回路は上述した通りであるが、第２の回路は、追加的に、負荷に電力を伝達するための手段（１６）に並列に第２の容量性モジュール（１１）を備える。第２の容量性モジュール（１１）は、また、第２の誘導性モジュール（１０）と直列である。第２の容量性モジュール（１１）は、キャパシタンスについてＣｓの値を有する。手段（１６）に接続された負荷がない場合、伝達ピックアップ回路の残りから別個に捉えられ、第２の回路は、以下の式によって決定される第２の共振周波数（ｆｓｅｃｏｎｄ）で最大となる共振（即ち、最小のインピーダンス）を有する。
【数６】
0006441312.tif 000007
【００５８】
この例では、公称値のＣｓが４４ｎＦで、約２６．４９６ｋＨＺの第２の回路の第２の共振周波数（ｆｓｅｃｏｎｄ）の値となる。これは、ケーブル周波数から２％より少なく変位しているが、容易に利用可能なコンポーネントが用いられ得る。第２の容量性モジュール（１１）は、容易に利用可能である、値２２ｎＦと２２ｎＦをもった、並列に接続された２つのキャパシタを備える。当技術に習熟した者は、発明の他の例において、第２の容量性モジュールにおいて、単一の容易に利用可能なキャパシタを用いることが可能であり得ることを認識する。
【００５９】
図８は、負荷が公称のインピーダンスをもつ状況について、異なるケーブル周波数に対して、この実施形態のための負荷に伝達される電力を示す。先の例におけると同様に、この公称の負荷インピーダンスは、約６１Ωである。
【００６０】
この図８は、第２の容量性モジュールありとなしとの状況を比較するために、図３と比較されるべきである。比較から、当技術に習熟した者には、第２の容量性モジュール（１１）をもった伝達ピックアップ回路の挙動は、第２の容量性モジュール（１１）のない伝達ピックアップ回路の挙動と対等であることが明らかである。
【００６１】
加えて、図９は、第２の容量性モジュール（１１）のキャパシティのこの値について、最大１次変圧器電圧を示す。第２の容量性モジュールありとなしの状況を比較するために、図９は図４と比較されるべきである。
【００６２】
比較から、当技術に習熟した者には、第２の容量性モジュール（１１）をもった伝達ピックアップ回路の挙動は、第２の容量性モジュール（１１）のない伝達ピックアップ回路の挙動と対等であることが明らかである。第２の容量性モジュール（１１）の存在の利点は、図１０と１１に示される。
【００６３】
図１１は、負荷が非常に高い場合の伝達ピックアップ回路の挙動を示す。その挙動は、負荷が存在しない（即ち、無限のインピーダンスを持つ）状況を近似する。この場合において、示されていることは、ケーブル周波数の関数として最大１次変圧器電圧の形式での挙動である。ここで、第２の容量性モジュール（１１）がない状況におけるように、最大１次変圧器電圧は、コア（４）が周波数レンジにおいて飽和しているとき、だが、ケーブル周波数においてではなく、クリップする。上述のように、第２の回路は、ケーブル周波数で第２の共振周波数を有する（即ち、それは、マーケットで利用可能なデフォルト値をもったコンポーネントの使用のために許容され得る限りの変位をする）。第２の回路が直列回路であるので、第２の回路は、第２の共振周波数でショート（第１の回路に並列）を形成する。ケーブル周波数は第２の周波数と同一ではないが、ケーブル周波数において、第２の回路のインピーダンスは依存として低い。第２の容量性モジュールの利点は、２６ｋＨｚのケーブル周波数において、伝達ピックアップ回路が、第１の回路が形成するよりも低い、ケーブルへのインピーダンスを形成することである。この例では、第２の回路のインピーダンスが非常に低く、第１の回路のインピーダンスよりもずっと低いから、最大１次変圧器電圧でさえも無視できる。これは、図１０において、２６ｋＨｚのケーブル周波数において無視できるケーブルからピックアップされる電力に対応する。これは、第２の容量性モジュール（１１）の存在から、および、第１の誘導性モジュール、第２の誘導性モジュール、第１の容量性モジュール、および、第２の容量性モジュールの値を用いて、電力伝達ピックアップに接続された負荷がない（または、負荷がスイッチオフされている）場合、ケーブル（２）からピックアップされる電力がなく、電力伝達ピックアップ（３）は、それが結合されている誘導的に結合された電力伝達システムに影響を与えない。
【００６４】
図１１と同様に、図１０は、ケーブル周波数の関数として負荷に伝達される電力の形式で、負荷が存在しない時の近似として、負荷が非常に高いときの伝達ピックアップ回路の挙動をしめす。伝達ピックアップ回路は、ケーブル周波数の上にある、第３の共振周波数を有する。
【００６５】
整流回路の例
更なる実施形態（図１２）において、第１の容量性モジュール（７）は、お互いに並列に接続された２つのキャパシタ（７１、７２）を備え、１つのキャパシタ（７１）は３３ｎＦの値を有し、他のキャパシタ（７２）は１００ｎＦの値を有する。
【００６６】
この実施形態において、２次容量性モジュール（１１）は、また、お互いに並列に接続された２つのキャパシタ（１１１、１１２）を備える。１つのキャパシタ（１１１）は４．７ｎＦの値を有し、他のキャパシタは５６ｎＦの値を有する。
【００６７】
２次巻線の励磁インダクタンス（Ｃｐ）は８４７μＨの値を有し、第２のインダクタンスモジュールのインダクタンスは１０００μＨの値を有する。
【００６８】
これらの値で、伝達ピックアップ回路は、ケーブル周波数が２０ｋＨｚと２１ｋＨｚとの間で切り替わるとき、ケーブルから電力をピックアップするように構成される。これは、ケーブル周波数が、上限の周波数限度である２１ｋＨｚとして、２０ｋＨＺから２１ｋＨｚのケーブル周波数レンジの中にあることを意味する。負荷の意図されたインピーダンス、この例ではＬＥＤ光源、は、２２０Ωである。伝達ピックアップ回路の共振周波数は、ケーブル周波数レンジの中にある。意図されたインピーダンスをもった負荷が接続される場合、共振周波数は、また、ケーブル周波数レンジの中にある。
【００６９】
電力伝達ピックアップは、更に、整流回路（１３）を備える。整流器は、その出力側に、単方向（依然、変化はする）の電圧を与えるよう構成される。
【００７０】
出力側の上には、４７μＦのキャパシタ（１４）がある。負荷（１２）は、このキャパシタに並列に接続される。キャパシタ（１４）と負荷（１２）の両方は、８２０μＨのインダクタ（１５）と直列で、整流器（１３）に接続される。
【００７１】
本発明の特定の実施形態が記載されるが、この技術に技量を有する者によって、発明は、記載されたもの以外でも、依然、発明の教示にしたがって、実施され得ることが認識される。例えば、電力伝達システムは、１より多くの電力伝達ピックアップを備え、スイッチモード電源、抵抗、および、ＬＥＤランプ等の異なる性質の負荷の組み合わせに電力を供給し得る。負荷は、また、センサーであり得る。センサーは、また、電力伝達ピックアップを介して、ケーブル（２）に接続された他のコンポーネントに通信をすることができる。加えて、第２の誘導性モジュールは、１またはそれより多くのコイルを備え得る。更に、整流器は、半波整流器であってもよい。また、第２の共振周波数は、負荷が無限のインピーダンスを有するとき、第２の回路のインピーダンスが第１の回路のインピーダンスよりも、少なくとも１／１０、１／２０、１／５０、または、１／１００倍だけ小さいように、ケーブル周波数から変位し得る。
以下に、本願出願当初に添付された特許請求の範囲に記載された発明を付記する。
［Ｃ１］
交流供給電流を運ぶケーブルから誘導的に電力をピックアップするための伝達ピックアップ回路を備える電力伝達システムであって、
前記ケーブルへの誘導性結合を与えるための変圧器の２次巻線と、前記変圧器に並列に接続された第１の容量性のモジュールとを備えた第１の回路を備え、
前記伝達ピックアップ回路は、
前記第１の回路に並列に接続され、第２の誘導性モジュールと負荷に電力を転送するための手段とを備えた第２の回路を備え、
前記手段は、前記第２の誘導性モジュールと直列である、
ことを特徴とする電力伝達システム。
［Ｃ２］
前記交流供給電流はケーブル周波数で交番し、
前記第１の回路は、前記ケーブル周波数の下の第１の共振周波数の周りの第１の周波数範囲で第１の共振を有し、
前記電力伝達システムは、使用において、前記第２の回路が無限に高いインピーダンスを形成する場合に、前記変圧器は前記ケーブル周波数で飽和しないように構成される、
［Ｃ１］に記載の電力伝達システム。
［Ｃ３］
前記第２の回路は、前記第２の誘導性モジュールと直列で、前記手段と並列に構成される第２の容量性モジュールを備え、
前記第２の容量性モジュールと前記第２の誘導性モジュールは、実際に、前記負荷のインピーダンスが無限に高い場合に、第２の共振周波数の周りの第２の周波数レンジにおいて第２の共振を有するために構成され、
前記第２の共振は、実際に、前記負荷が無限に高いとき、前記ケーブル周波数において、前記伝達ピックアップ回路のインピーダンスが前記第１の回路のインピーダンスよりも小さい、
［Ｃ２］に記載の電力伝達システム。
［Ｃ４］
前記ケーブル周波数において、実際に、前記負荷のインピーダンスが無限に高いとき、前記第２の回路のインピーダンスは前記第１の回路のインピーダンスよりも低い、
［Ｃ３］に記載の電力伝達システム。
［Ｃ５］
前記手段は、整流器の出力側から負荷に供給するよう構成された整流器と、前記負荷に並列に接続されるように構成された整流器の出力側に接続された容量性リザーバモジュールと、を備える、
［Ｃ３］または［Ｃ４］に記載の電力伝達システム。
［Ｃ６］
前記手段は、前記負荷と前記容量性リザーバモジュールに直列であるように構成された第３の容量性モジュールを備える、
［Ｃ５］に記載の電力伝達システム。
［Ｃ７］
前記交流供給電流を与えるためのソースを備え、
前記ソースはケーブル周波数を変化させるよう構成される、
［Ｃ１］ないし［Ｃ６］のいずれかに記載の電力伝達システム。
【図１】
0006441312.tif 000008
【図２ａ】
0006441312.tif 000009
【図２ｂ】
0006441312.tif 000010
【図３】
0006441312.tif 000011
【図４】
0006441312.tif 000012
【図５】
0006441312.tif 000013
【図６】
0006441312.tif 000014
【図７】
0006441312.tif 000015
【図８】
0006441312.tif 000016
【図９】
0006441312.tif 000017
【図１０】
0006441312.tif 000018
【図１１】
0006441312.tif 000019
【図１２】
0006441312.tif 000020